(57)【要約】【課題】生ゴミ処理システムにおいて、固形分と水分との分離性能を向上させて、処理能力の改善を図る。【解決手段】生ゴミを粉砕するディスポーザー４２と、この粉砕された生ゴミを搬送水により搬送する搬送手段と、この搬送手段により搬送された生ゴミから水分を分離する固液分離装置１０と、この固液分離装置１０により分離された固形分を処理する生ゴミ処理機４６とを備え、固液分離装置１０を遠心力により生ゴミから水分を分離し、固液分離装置１０にて分離された水分を濾過する排水濾過装置２０を備え、この排水濾過装置２０により濾過された濾過水を搬送水として用いる。【選択図】　　　図１
2004066051.tif 000002
【特許請求の範囲】
【請求項１】
生ゴミを粉砕する粉砕手段と、該粉砕された生ゴミを搬送水により搬送する搬送手段と、該搬送手段により搬送された生ゴミから水分を分離する固液分離手段と、該固液分離手段により分離された固形分を処理する生ゴミ処理手段とを備えた生ゴミ処理システムにおいて、
前記固液分離手段は、遠心力により生ゴミから水分を分離することを特徴とする生ゴミ処理システム。
【請求項２】
生ゴミを粉砕する粉砕手段と、該粉砕された生ゴミを搬送水により搬送する搬送手段と、該搬送手段により搬送された生ゴミから水分を分離する固液分離手段と、該固液分離手段により分離された固形分を処理する生ゴミ処理手段とを備えた生ゴミ処理システムにおいて、
少なくとも前記固液分離手段にて分離された水分を濾過する濾過手段を備え、該濾過手段により濾過された濾過水を前記搬送水として用いることを特徴とする生ゴミ処理システム。
【請求項３】
前記濾過手段は、生ゴミ処理手段から排出される水分も濾過することを特徴とする請求項２の生ゴミ処理システム。
【請求項４】
前記濾過手段は、微孔性薄膜により構成され、当該微孔性薄膜をエアレーション洗浄しながら前記水分を吸引し、前記微孔性薄膜に通過させることを特徴とする請求項２又は請求項３の生ゴミ処理システム。
【発明の詳細な説明】
【０００１】
【発明の属する技術分野】
本発明は、レストランやマンション、複合ビルのような集合建物などから排出される生ゴミを粉砕して搬送水により搬送して処理する生ゴミ処理システムに関する。
【０００２】
【従来の技術】
従来、レストランやマンション等の厨房により発生する生ゴミは、例えば、特開平６−２４５０４号公報に示されるように、ディスポーザにより粉砕し、貯留槽（タンク槽）に一旦貯留した後、これをポンプ及び搬送水により固液分離装置に搬送し、固形分と水分に分離した後、固形分を好気性微生物が投入された発酵処理型の生ゴミ処理機により、又は、固形分を炉の中に投入して、加熱することにより処理していた。
【０００３】
また、前記固液分離装置は、ディスポーザで処理された生ゴミ及びそれを搬送する搬送水がコンベアベルトの表面の網、又は、くし状の板の上に落下するように設けられ、固形分のみがこの板状に残り、水分は下に落ちるように構成されていた。そして、板状に残った固形分がコンベアベルトにより運ばれて、生ゴミ処理機の中に搬入されるものであった。
【０００４】
一方、固液分離装置により分離された水分は浄化槽に搬送され、油分や前記固液分離装置のコンベアベルト上に残らなかった生ゴミ等が除去された状態で公共の下水道に排水されるものであった。
【０００５】
【発明が解決しようとする課題】
しかしながら、上記の如くコンベアベルト上に固形分のみを残して固液分離を行う方法では、コンベアベルト上に残った固形分に付着した水分、又は、固形分が保有する保有水まで分離することはできないため、生ゴミ処理機には多量の水分を含んだ固形分が搬入されることとなる。それにより、生ゴミ処理に要する時間が著しくかかってしまう問題があった。
【０００６】
また、ディスポーザで処理された生ゴミを搬送するために多量の搬送水が使用されるが、これらの搬送水は、前述する如く浄化槽にて浄化された後に下水道に排水されるのみであった。
【０００７】
本発明は、係る従来技術の課題を解決するために成されたものであり、生ゴミ処理システムにおいて、固形分と水分との分離性能を向上させて、処理能力の改善を図ることを目的とする。
【０００８】
【課題を解決するための手段】
請求項１の発明の生ゴミ処理システムは、生ゴミを粉砕する粉砕手段と、この粉砕された生ゴミを搬送水により搬送する搬送手段と、この搬送手段により搬送された生ゴミから水分を分離する固液分離手段と、当該固液分離手段により分離された固形分を処理する生ゴミ処理手段とを備え、固液分離手段を遠心力により生ゴミから水分を分離するようにしたので、生ゴミの固形分と水分とを効果的に分離することができるようになる。
【０００９】
即ち、生ゴミの固形分に付着した水分及びそれが保有する保有水も固形分から円滑に分離することができるようになるので、固液分離後に生ゴミ処理手段により処理する際の処理能力が向上する。
【００１０】
請求項２の発明の生ゴミ処理システムは、生ゴミを粉砕する粉砕手段と、該粉砕された生ゴミを搬送水により搬送する搬送手段と、該搬送手段により搬送された生ゴミから水分を分離する固液分離手段と、該固液分離手段により分離された固形分を処理する生ゴミ処理手段とを備え、少なくとも固液分離手段にて分離された水分を濾過する濾過手段を備え、この濾過手段により濾過された濾過水を搬送水として用いるので、水の有効利用を図ることができるようになり、水資源の節約を図ることができるようになる。
【００１１】
請求項３の発明の生ゴミ処理システムは、請求項１又は請求項２の発明に加えて、濾過手段は生ゴミ処理手段から排出される水分も濾過するので、より一層、水を有効利用することができるようになる。
【００１２】
請求項４の発明の生ゴミ処理システムは、請求項１、請求項２又は請求項３の発明に加えて、濾過手段は、微孔性薄膜により構成され、当該微孔性薄膜をエアレーション洗浄しながら水分を吸引し、微孔性薄膜に通過させるので、微孔性薄膜の閉塞を防ぎながら、安定した濾過水を得ることができるようになる。
【００１３】
これにより、高濃度排水中で長期運転が可能となるので濾過効率の向上を図ることができるようになる。
【００１４】
【発明の実施の形態】
次に、図面に基づき本発明の一実施形態を詳述する。図１は、本発明の生ゴミ処理システム１を示す概略図、図２は本発明に使用する排水濾過装置２０を示す縦断面図、図３は排水濾過装置２０内に備え付けられた微孔性薄膜２４の断面図である。
【００１５】
図１において、４０は例えばレストランや大食堂の厨房に設けられている下善コーナー、４２は下善コーナー４０から排出された生ゴミを粉砕するための粉砕手段としてのディスポーザ、４４はディスポーザ４２により粉砕された生ゴミと水を一旦収容するポンプ槽、１０はディスポーザ４２により粉砕され、ポンプ槽４４に収容されて、一定量溜まった生ゴミを、固形分と水分とに分離するための固液分離手段としての固液分離装置、４６は固液分離装置１０により水分と分離された固形分を処理するための生ゴミ処理手段としての生ゴミ処理機、２０は固液分離装置１０及び生ゴミ処理機４６から排出された水分（排水）を処理するための濾過手段としての排水濾過装置、４８は排水濾過装置２０から排出された排水を下水道に排出するために排水を浄化する浄化槽、５０は排水濾過装置２０で処理され、使用可能となった再生水を貯留するための再生水タンクである。
【００１６】
前記固液分離装置１０は上面開口の箱体１２とこの箱体１２内箱を構成する金属製の処理槽１４と、この処理槽１４内に間隔を存して回転自在に設けられ、ディスポーザ４２により粉砕された固形分を収容する脱水槽１６などから構成されている。処理槽１４は上面に開口した有底円筒状を呈しており、この処理槽１４上面の開口部は、回転自在には箱体１２上部に枢支された図示されない蓋にて開閉自在に閉塞されている。
【００１７】
一方、脱水槽１６も処理槽１４と同様に上面に開口した有底円筒状を呈している。この脱水槽１６の周面には固形分の通過を阻止し、水分のみを通過させるための複数の小穴１７が形成されている。
【００１８】
そして、箱体１２の下方には駆動装置１８が設けられており、駆動装置１８の回転軸１８Ａは処理槽１４を貫通して、前記脱水槽底部の中心に接続されている。当該駆動装置１８により、脱水槽１６が回転して内部に収納された固形分に付着した水分若しくは固形分に含まれる保有水の一部又は大部分は遠心力で分離される。
【００１９】
このように、遠心力で固液を分離する固液分離装置１０により、生ゴミから水分を分離するようにしたので、生ゴミの固形分と水分とを効果的に分離することができるようになる。
【００２０】
更に、固形分に付着した水分及びそれが保有する保有水も固形分から分離することができるようになるので、固液分離後に生ゴミ処理機４６により生ゴミを処理する際にも円滑に処理を行うことができるようになる。
【００２１】
また、処理槽１４の底部には固形分から分離された水分を排水するための図示しない排水口が形成されており、この排水口に接続された図示しない排水口パイプが箱体１２を貫通して後述する排水濾過装置２０に接続されている。
【００２２】
そして、図１において２０は前記固液分離装置１０及び生ゴミ処理機４６から生じる水分（排水）を濾過処理するための前述した排水濾過装置である。この排水濾過装置２０は、図２に示すように排水を濾過する濾過槽２２と、この濾過槽２２内に設けられた微孔性薄膜２４と、当該微孔性薄膜２４により処理された再生水をくみ上げるために設けられた吸引ポンプ２６と、濾過槽２２の下方に設けられ、微孔性薄膜２４に旋回流を与えるブロワー２８とを備えている。
【００２３】
前記微孔性薄膜２４は、図３に示す如く表面が膜体３０により覆われており、膜体３０の内側にスペーサー３２、スペーサー３２の内側に支持体３４が形成されている。そして、この微孔性薄膜は排水中に含まれる油分、微粒子及びバクテリア等を通さずに水分のみを吸引する。これにより、油分、微粒子及びバクテリア等は微孔性薄膜２４の表面に付着する。また、微孔性薄膜２４の上方には集水出口３６が形成されており、膜体３０内に吸引された水分はこの集水出口３６に集められる。
【００２４】
前記濾過槽２２の下部にはブロワー２８が設けられており、このブロワー２８から気泡が発生する。そして、この気泡が旋回流となり、微孔性薄膜２４の表面に付着した微粒子やバクテリア等をエアレーション洗浄する。
【００２５】
このように、微孔性薄膜２４をエアレーション洗浄しながら排水中の水分のみを吸引し、微孔性薄膜２４に通過させるので、微孔性薄膜２４の閉塞を防ぎながら、安定した再生水（濾過水）を得ることができるようになる。
【００２６】
これにより、高濃度排水中で長期運転が可能となるので濾過効率の向上を図ることができるようになる。
【００２７】
以上の構成で、次に本発明の生ゴミ処理システム１の動作について説明する。厨房の下善コーナー４０から排出された生ゴミは、ディスポーザ４２に搬送される。そして、ディスポーザ４２内の生ゴミは粉砕された後、搬送水と共にポンプ槽４４に貯留される。ポンプ槽４４内で一定量貯留された生ゴミ及び搬送水はポンプ及び搬送水により固液分離装置１０に送られる。
【００２８】
固液分離装置１０において、駆動装置１８が駆動して脱水槽１６を回転させる。この回転により、収納された生ゴミの固形分に付着した水分或いはそれが保有する保有水の一部は遠心力により脱水槽１６を経て外側の処理槽１４側に分離される。処理槽１４に出た水は図示しない排水口から排水パイプを経て、箱体１２の外部に排出される。一方、所定時間遠心力により脱水された生ゴミの固形分は次に生ゴミ処理機４６に送られる。
【００２９】
生ゴミ処理機４６で生ゴミはバイオ分解処理又は熱乾燥処理される。また、この処理中に生ゴミからはそれが保有する保有水が露出するが、生ゴミ処理機４６に設けられた図示しない排水口から排水パイプを経て外部に排出される。
【００３０】
固液分離装置１０及び生ゴミ処理機４６から排出された排水は排水濾過装置２０に至る。排水濾過装置２０において図示しない制御装置によりブロワー２８、吸引ポンプ２６が運転されると、排水内の水分のみが微孔性薄膜２４の膜体３０内に吸引される。このとき、排水中に含まれる微粒子やバクテリア等は微孔性薄膜２４の表面に付着する。
【００３１】
微孔性薄膜２４の膜体３０内に吸引された水分は、膜体３０を通過することで浄化され、その後、スペーサー３２、支持体３４を経て集水出口３６に集められ、吸引ポンプ２６により再生水タンク５０へと搬送され、貯留される。再生水タンク５０に貯留された水分は、ディスポーザ４２により粉砕された生ゴミを搬送する搬送水として再利用される。そして、再利用された再生水は再び同様のサイクルを繰り返し、再生水タンク５０に貯留される。
【００３２】
尚、微孔性薄膜２４の表面に付着した油分、微粒子及びバクテリア等はブロワー２８から発生する気泡によってエアレーション洗浄され、微孔性薄膜２４から剥がされ、濾過槽２２内を浮遊し、濾過槽２２に沈積する。その後、これら油分、微粒子及びバクテリア等は浄化槽４８に送られてそこで浄化処理されて公共の下水道に排水される。
【００３３】
このように、固液分離装置１０を遠心力により生ゴミを固形分と水分とに分離するようにしたので、固形分と水分とを効果的に分離することができるようになる。
【００３４】
更に、固形分に付着した水分及びそれが保有する保有水も固形分から分離することができるので、固液分離後に生ゴミ処理機により生ゴミを処理する際にも処理を円滑に行うことができるようになる。
【００３５】
また、固液分離装置１０及び生ゴミ処理機４６における処理工程で固形分から分離された水分を排水濾過装置２０により濾過して、この濾過された濾過水を搬送水として用いるので、水の有効利用を図ることができるようになり、水資源の節約を図ることができるようになる。
【００３６】
尚、本実施例で使用された固液分離装置及び排水濾過装置はそれに限定されるものでは無く、本発明を実施可能なものであれば、その形態は限定されるものではない。
【００３７】
【発明の効果】
以上詳述する如く、請求項１の発明によれば生ゴミを粉砕する粉砕手段と、この粉砕された生ゴミを搬送水により搬送する搬送手段と、この搬送手段により搬送された生ゴミから水分を分離する固液分離手段と、当該固液分離手段により分離された固形分を処理する生ゴミ処理手段とを備えた生ゴミ処理システムにおいて、固液分離手段を遠心力により生ゴミから水分を分離するようにしたので、生ゴミの固形分と水分とを効果的に分離することができるようになる。
【００３８】
即ち、生ゴミの固形分に付着した水分及びそれが保有する保有水も固形分から円滑に分離することができるようになるので、固液分離後に生ゴミ処理手段により処理する際の処理能力が向上する。
【００３９】
請求項２の発明によれば、生ゴミを粉砕する粉砕手段と、該粉砕された生ゴミを搬送水により搬送する搬送手段と、該搬送手段により搬送された生ゴミから水分を分離する固液分離手段と、該固液分離手段により分離された固形分を処理する生ゴミ処理手段とを備え、少なくとも固液分離手段にて分離された水分を濾過する濾過手段を備え、この濾過手段により濾過された濾過水を搬送水として用いるので、水の有効利用を図ることができるようになり、水資源の節約を図ることができるようになる。
【００４０】
請求項３の発明によれば、請求項１又は請求項２の発明に加えて、濾過手段は生ゴミ処理手段から排出される水分も濾過するので、より一層、水を有効利用することができるようになる。
【００４１】
請求項４の発明によれば、請求項１、請求項２又は請求項３の発明に加えて、濾過手段は、微孔性薄膜により構成され、当該微孔性薄膜をエアレーション洗浄しながら水分を吸引し、微孔性薄膜に通過させるので、微孔性薄膜の閉塞を防ぎながら、安定した濾過水を得ることができるようになる。
【００４２】
これにより、高濃度排水中で長期運転が可能となるので濾過効率の向上を図ることができるようになる。
【図面の簡単な説明】
【図１】本発明の生ゴミ処理システムを示す概略図である。
【図２】本発明に使用する排水処理槽の縦断面図である。
【図３】本発明に使用する排水処理槽内に収容された排水処理膜３の縦断面図である。
【符号の説明】
１　生ゴミ処理システム
１０　固液分離装置
１２　箱体
１４　処理槽
１６　脱水槽
１８　駆動装置
１８Ａ　回転軸
２０　排水濾過装置
２２　濾過槽
２４　微孔性薄膜
２６　吸引ポンプ
２８　ブロワー
３０　膜体
３２　スペーサー
３４　支持体
３６　集水出口
４０　下善コーナー
４２　ディスポーザ
４４　ポンプ槽
４６　生ゴミ処理機
４８　浄化槽
５０　再生水タンク
【図１】
2004066051.tif 000003
【図２】
2004066051.tif 000004
【図３】
2004066051.tif 000005